(57)【要約】サブカムプレート２の切り欠き部２ａ及びロックプレート６の突部６ａを傾斜形状にするとともに、切り欠き部２ａに対する突部６ａの挿入時の押し圧力によってサブカムプレート２が回動するようにしたものである。
2003036637.tif 000002
【特許請求の範囲】
【請求項１】
駆動手段により回動されるメインカムプレートと、上記メインカムプレートと同一軸上に回動自在に軸支され、円周上に切り欠き部が施されたサブカムプレートと、上記メインカムプレートと上記サブカムプレートを係合する係合手段と、上記係合手段により上記メインカムプレートと上記サブカムプレートが係合されると、上記サブカムプレートの回動に伴って回動するレバーと、上記サブカムプレートが所定の回動位置に停止したとき、上記サブカムプレートの切り欠き部に突部を挿入して、上記係合手段の係合状態を解除するロックプレートとを備えたディスク装置において、上記サブカムプレートの切り欠き部及び上記ロックプレートの突部を傾斜形状にするとともに、上記切り欠き部に対する上記突部の挿入時の押し圧力によって上記サブカムプレートが回動することを特徴とするディスク装置。
【請求項２】
切り欠き部における切り欠き範囲の中央に突部の先端が位置するように、サブカムプレートの停止位置を設定することを特徴とする請求の範囲第１項記載のディスク装置。
【請求項３】
サブカムプレートの切り欠き部を三角形状に切り欠いて、ロックプレートの突部の先端を鋭角にすることを特徴とする請求の範囲第１項記載のディスク装置。
【請求項４】
切り欠き部に対する突部の挿入時の押し圧力に対抗する方向に、サブカムプレートを付勢する付勢部材を設けたことを特徴とする請求の範囲第１項記載のディスク装置。
【請求項５】
バネを用いて付勢部材を構成し、そのバネの一端をメインカムプレートに固着し、そのバネの他端をロックプレートに固着することを特徴とする請求の範囲第４項記載のディスク装置。
【発明の詳細な説明】
技術分野
この発明は、レバーが２通りの動作を行うことにより、２つの動作モードを実現することができるディスク装置に関するものである。
背景技術
複数のディスクから任意のディスクを選択して交換するディスクチェンジモードと、任意のディスクをスロットに挿入して再生するディスクインプレイモードとを選択的に実現することができるようにするために、２段式カムのレバーの動作を制御するディスク装置が存在する。
従来のディスク装置は、コの字型の切り欠き部を有する円板部材と、その円板部材に設けられたカム溝に係合して動作するロックレバーとを有し、その円板部材の切り欠き部に係合して回動を規制するスライド可能なロックプレートを配置している。
次に動作について説明する。
円板部材の切り欠き部がロックプレートと係合する位置に停止した状態で、ロックプレートがスライドして切り欠き部に係合すると、円板部材の回動が規制される。一方、ロックレバーは、スライドしたロックプレートにより係合が解除され、円板部材のカム溝に沿って動作する。
従来のディスク装置は以上のように構成されているので、円板部材が所定の回動位置に正確に停止すれば、ロックプレートがスライドして円板部材の切り欠き部に係合することができるが、円板部材の停止位置が所定の位置から少しでもずれると、ロックプレートを円板部材の切り欠き部に挿入することができなくなる課題があった。
この発明は上記のような課題を解決するためになされたもので、サブカムプレートの停止位置が所定の回動位置からずれても、ロックプレート先端の突部を切り欠き部に挿入して、ロックレバーの係合状態を解除することができるディスク装置を得ることを目的とする。
発明の開示
この発明に係るディスク装置は、サブカムプレートの切り欠き部及びロックプレートの突部を傾斜形状にするとともに、切り欠き部に対する突部の挿入時の押し圧力によってサブカムプレートが回動可能となるようにしたものである。
このことによって、サブカムプレートの停止位置が所定の回動位置からずれても、ロックプレートの突部先端がサブカムプレートの切り欠き部斜面に当接可能な範囲であれば、突部を切り欠き部に挿入して、ロックレバーの係合状態を解除することができる効果がある。
この発明に係るディスク装置は、切り欠き部における切り欠き範囲の中央に突部の先端が位置するように、サブカムプレートの停止位置を設定するようにしたものである。
このことによって、突部を切り欠き部に挿入できる範囲を拡げることができる効果がある。
この発明に係るディスク装置は、サブカムプレートの切り欠き部を三角形状に切り欠いて、ロックプレートの突部の先端を鋭角にするようにしたものである。
このことによって、構成の複雑化を招くことなく、突部を切り欠き部に挿入できる範囲を拡げることができる効果がある。
この発明に係るディスク装置は、切り欠き部に対する突部の挿入時の押し圧力に対抗して、サブカムプレートの回動を突部係合時の回動方向と逆方向に付勢する付勢部材を設けたものである。
このことによって、サブカムプレートの停止位置が所定の回動位置からずれても、ロックプレートの突部先端がサブカムプレートの切り欠き部斜面に当接可能な範囲であれば、突部を切り欠き部に挿入することができる効果がある。
この発明に係るディスク装置は、バネを用いて付勢部材を構成し、そのバネの一端をメインカムプレートに固着し、そのバネの他端をロックレバーに固着するようにしたものである。
このことによって、構成の複雑化を招くことなく、突部を切り欠き部に挿入できる範囲を拡げることができる効果がある。
発明を実施するための最良の形態
以下、この発明をより詳細に説明するために、この発明を実施するための最良の形態について、添付の図面に従って説明する。
実施の形態１．
第１図はこの発明の実施の形態１によるディスク装置の要部斜視図、第２図は２段式円盤カム部を示す斜視図、第３図は２段式円盤カム部を示す分解図である。
図において、１はモータ１０により回動されるメインカムプレート、２はメインカムプレート１と同一軸上に回動自在に軸支され、円周上に切り欠き部２ａが施されたサブカムプレートと、３はメインカムプレート１とサブカムプレート２を係合するロックレバー（係合手段）、４は切り欠き部２ａに対する突部６ａの挿入時の押し圧力に対抗する方向に、サブカムプレート２を付勢するバネ（付勢部材）、５はメインカムプレート１とサブカムプレート２を軸支する中心軸、６はサブカムプレート２が所定の回動位置に停止したとき、サブカムプレート２の切り欠き部２ａに突部６ａを挿入して、ロックレバー３の係合状態を解除するロックプレート、１０はメインカムプレート１を駆動するモータ（駆動手段）、１１はロックレバー３によりメインカムプレート１又はサブカムプレート２の回動に伴って回動するレバーである。
次に動作について説明する。
まず、メインカムプレート１には、サブカムプレート２との回転移動をロックするためのロックレバー３がピン１ａにより回動自在に固定されており、ロックレバー３のピン３ａがサブカムプレート２のカム溝２ｂに係合する。
また、ロックレバー３は、長穴形状の穴３ｂを有しており、バネ４により片側に付勢され、カムプレート１とサブカムプレート２が同一の中心軸５により拘束される。
ロックプレート６には、サブカムプレート２の切り欠き部２ａと係合するための突部６ａとロックレバー３を作動させるピン６ｂが設けられている。
第４図及び第５図はメインカムプレート１とロックレバー３の関係を示しており、特に第４図はサブカムプレート２をロックしている状態を示し、第５図はロックが解除されている状態を示している。
通常、ロックレバー３は、第４図に示すように、バネ４により片側に付勢されており、ピン１ａを回動中心としてメインカムプレート１の穴１ｃの壁にピン３ａが当接する位置にある。また、ロックレバー３は、メインカムプレート１の突部１ｂに係合しており、中心軸５を中心とするロックレバー３の回動は規制されている。
ロックプレート６の作動によりロックが解除される場合（詳細は後述する）、第５図に示すように、ロックレバー３は中心軸５を中心として回動するとともに、ピン１ａを中心として回転する。
ここで、第６図はロックプレート６の突部６ａとサブカムプレート２の切り欠き部２ａの直線辺が一致している状態を示し、第７図は第６図の状態時の裏面を示している。また、第８図は第６図の状態において、ロックプレート６がスライドしてサブカムプレート２に係合した状態を示し、第９図は第８図の状態時の裏面を示している。
第６図の状態において、ロックプレート６がスライドしても、中心軸５を中心とするサブカムプレート２の回転は発生せず、ロックプレート６のピン６ｂによるピン１ａを中心とするロックレバー３の回転動作のみ行われる。
この回転動作によりピン３ａはカム溝２ｂの同心円部分にまで移動するため、サブカムプレート２とメインカムプレート１の係合が解除される。この状態ではサブカムプレート２は回転を止めた状態になり、メインカムプレート１のみがカム溝２ｂの同心円範囲において回転可能となる。
次に、第１０図はロックプレート６の突部６ａとサブカムプレート２の切り欠き部２ａの傾斜辺が直線上に一致している状態を示し、第１１図は第１０図の状態時の裏面を示している。また、第１２図は第１０図の状態において、ロックプレート６がスライドしてサブカムプレート２に係合した状態を示し、第１３図は第１２図の状態時の裏面を示している。
第１０図の状態において、ロックプレート６がスライドすると、サブカムプレート２は切り欠き部２ａと突部６ａが一致するまで中心軸５を中心とする回転動作を行う。このとき、レバー１１の駆動ピン１１ａがサブカムプレート２の回転運動を妨げない位置になるよう配置されている。この回転動作が行われる際、ロックレバー３はピン３ａがカム溝２ｂと係合しているため、中心軸５を中心とする回転動作を行うと同時に、ロックプレート６のピン６ｂによるピン１ａを中心とする回転動作が行われる。これにより、第８図と同様に、サブカムプレート２が回転を止めた状態で、メインカムプレート１のみがカム溝２ｂの同心円範囲において回転可能となる。
なお、第６図の停止位置から第１０図の停止位置の範囲において、サブカムプレート２に対するロックプレート６の係合が可能であるため、ロックプレート６の係合作動時におけるメインカムプレート１の回転停止位置を、第１４図に示すように、切り欠き部２ａと突部６ａの直線辺が一致する位置と斜辺が直線上に一致する位置の中心となるように配置する。
このように配置することにより、第６図の停止位置から第１０図の停止位置の範囲においてメインカムプレート１の回転停止位置がずれてもロック動作が可能となる。
また、ロックプレート６の係合を外すロック解除動作の場合においても、メインカムプレート１の回転停止位置に関わらず、バネ４によりロックレバー３が引き戻されるため、第４図に示すロック状態に復帰することが可能である。
したがって、モータ１０の停止における制御上の停止誤差、メカ的なガタやバラツキ等によるメインカムプレート１の停止誤差を吸収することが可能となる。
ここで、第１５図はロックプレート６がサブカムプレート２に係合した後、カム溝２ｂの同心円範囲においてメインカムプレート１が回転した状態を示している。サブカムプレート２の回転が固定されているためピン１１ａは移動せず、従ってレバー１１は動作しない。
第１６図はロックプレート６が係合せずに第１５図の位置と同じ位置までメインカムプレート１が回転した状態を示している。サブカムプレート２はメインカムプレート１に対し回動が固定されているためピン１１ａはサブカムプレート２により外周側に寄せられることでレバー１１を動作させる。
このような構成をとることにより、メインカムプレート１の停止誤差を許容しながら、同一の回転範囲において２つのカム溝パターンの選択が可能となる。
産業上の利用可能性
以上のように、この発明に係るディスク装置は、２段式カムのレバーの動作を制御して、複数のディスクから任意のディスクを選択して交換するディスクチェンジモードと、任意のディスクをスロットに挿入して再生するディスクインプレイモードとを選択的に実現するものに適している。
【図面の簡単な説明】
第１図はこの発明の実施の形態１によるディスク装置の要部斜視図である。
第２図は２段式円盤カム部を示す斜視図である。
第３図は２段式円盤カム部を示す分解図である。
第４図はサブカムプレートをロックしている状態を示す説明図である。
第５図はロックが解除されている状態を示す説明図である。
第６図はロックプレートの突部とサブカムプレートの切り欠き部の直線辺が一致している状態を示す説明図である。
第７図は第６図の状態時の裏面を示す説明図である。
第８図は第６図の状態において、ロックプレートがスライドしてサブカムプレートに係合した状態を示す説明図である。
第９図は第８図の状態時の裏面を示す説明図である。
第１０図はロックプレートの突部とサブカムプレートの切り欠き部の傾斜辺が直線上に一致している状態を示す説明図である。
第１１図は第１０図の状態時の裏面を示す説明図である。
第１２図は第９図の状態において、ロックプレートがスライドしてサブカムプレートに係合した状態を示す説明図である。
第１３図は第１２図の状態時の裏面を示す説明図である。
第１４図はメインカムプレートの停止位置の設定例を示す説明図である。
第１５図はロックプレートがサブカムプレートに係合した後、カム溝の同心円範囲においてメインカムプレートが回転した状態を示す説明図である。
第１６図はロックプレートが係合せずに第１５図の位置と同じ位置までメインカムプレートが回転した状態を示す説明図である。
【図１】
2003036637.tif 000003
【図２】
2003036637.tif 000004
【図３】
2003036637.tif 000005
【図４】
2003036637.tif 000006
【図５】
2003036637.tif 000007
【図６】
2003036637.tif 000008
【図７】
2003036637.tif 000009
【図８】
2003036637.tif 000010
【図９】
2003036637.tif 000011
【図１０】
2003036637.tif 000012
【図１１】
2003036637.tif 000013
【図１２】
2003036637.tif 000014
【図１３】
2003036637.tif 000015
【図１４】
2003036637.tif 000016
【図１５】
2003036637.tif 000017
【図１６】
2003036637.tif 000018
【国際調査報告】
2003036637.tif 000019
2003036637.tif 000020